(57)【要約】【課題】  操作部の作動量設定を選択可能とし様々な作動量の変更ニーズに対応させ、クリックアクション特性を有する良好な操作感触を維持するとともに、機器の省スペース化に対応した押釦スイッチを提供することを目的とする。【解決手段】  操作部を釦２とプランジャ３の二部品で形成し、釦２の凸部２ａとプランジャ３の段部との組み合わせ位置を選択して、スイッチ本体内での操作部の作動量を調整可能とし、プランジャ３とベース６の間に配置する弾性部材４の荷重特性と接触機構部の荷重特性を組み合わせるとともに、ハウジング１の内側面に配置した案内１ｂと操作部側面の溝部２ｂ、３ｅをガイドさせてガタつきを抑え、滑らかな動作を確保することができる。【選択図】      図１
2005100785.tif 000002
【特許請求の範囲】
【請求項１】
釦とプランジャで操作部を形成し、上下動自在に該操作部を配設したハウジングと、複数の端子を突出したベースで本体を構成し、該本体内に配設した接触機構部を、前記操作部で開閉する押釦スイッチにおいて、前記本体内の前記プランジャの下面と前記ベース間に弾性部材を配設し、前記ハウジングの上面の略中央部に貫通孔を設け、該貫通孔の周囲の前記ハウジング内面から下方に突起部を形成し、前記釦の少なくとも一対の水平に配設した凸部を設けて前記突起部に当接させるとともに、前記プランジャの上面部に対を成し複数に分割された段部を放射状に配列させ、前記釦の凸部と前記プランジャの段部との組み合わせ位置を選択可能に構成したことを特徴とする押釦スイッチ。
【請求項２】
前記ハウジングの内側面の周囲に案内を上方から下方に一乃至複数配設し、前記釦の底面部の略中央部に穴を設けて前記プランジャの上面部に配設した支柱を挿入させるとともに、前記釦の凸部と前記プランジャの複数に分割された段部の側面に設けた溝部と組み合わせた構成にしたことを特徴とする請求項１記載の押釦スイッチ。
【発明の詳細な説明】
【技術分野】
【０００１】
本発明は、操作部を上下動して電路の切換えを行う押釦スイッチに係り、特に操作部を構成する釦の凸部とプランジャの段部との組合せ位置を選択可能とすることで、操作部の様々な作動量の変更ニーズに対応させ、機器の小型化に対応する押釦スイッチに関するものである。
【背景技術】
【０００２】
図６は従来の押釦スイッチの断面図であり、ブッシング８とケース１４でスイッチ本体を形成し、ブッシング８の略中央部に、段部を設けた貫通孔に操作部としての釦７を配設するとともに、ケース１４内には一対の接触端子２０と釦７に連動して移動するシャフト１６に組み付けられた可動接片１３で構成する接触機構部を配設し、ケース１４上面に設けたガイド１２とボタン７底面に設けた穴内の段部に配設する座金１７との間にボタン７を復帰させるように付勢する弾性部材ａ１５を設け、シャフト１６とボタン７の内底面の間にはシャフト１６に組み付けられた可動接片１３の接触力に付勢するように弾性部材ｂ１８を配置し、スイッチ本体をパネル等に取り付けるには丸ナット９と六角ナット１１による位置調整を行える様にして設定内の調整であれば実用上は十分であった。
【０００３】
然るに、顧客の要望する押釦スイッチの規定作動量を越えた値に設定するためには、スイッチ本体内に位置する釦７底面部とガイド１２までの移動空間を設定し直し、スイッチ本体を構成するブッシング８とケース１４及び内蔵するシャフト１６の長さも変更となり新たに金型や治具設備を作る必要があった。
【０００４】
また、図７は従来の押釦スイッチの別の事例を示す断面図であり、操作者の指が表面シート２１を押下してスイッチを開閉操作するシートキーボードの構造を示す。
ＬＥＤ３５やホルダ３６等の他の電気部品が組み付けられたプリント基板２４に押釦スイッチを搭載し、表面シート２１で覆われたカバー２２をスペーサ２３を用いてプリント基板２４上に六角ナット２６とともに組付け、表面シート２１を押下して、下方に配設された押釦スイッチを操作すると、表面シート２１の下面から押ボタンスイッチに組み付けられた調整釦２８までの空間距離と表面シート２１の反発応力の為、押釦スイッチの重要な項目である操作性としての操作感触や不用意押しを防止する関係から、押釦スイッチは高さと作動量に微妙な調整を必要とした。この調整対応のため押釦スイッチの操作部を構成するプランジャ２９に組付ける高さの調整釦２８を数種類用意して、操作性を確認の上最適組合せを求めていた。
然るに、電子機器等では押釦スイッチは複数個搭載されて、外観のデザインによるキートップ３７の径や凸量が異なると当然押釦スイッチの高さや作動量も更に異なり、調整釦２８の種類が益々増えることに成る。
【特許文献１】なし
【発明の開示】
【発明が解決しようとする課題】
【０００５】
図６の従来の押釦スイッチにあっては、押釦スイッチの作動量を変更すると、スイッチ本体内部の接触機構の配置方法が操作方向に展開構成されているため、釦７、シャフト１６及びケース１４のために大きな配置スペースが必要であった。また操作部の復帰に付勢する弾性部材ｂ１８は圧縮円筒コイルバネのため、操作部を押下した時のクリックアクション特性も得られず、比較的長い操作量を有するこの種のスイッチはスイッチの高さ、大きさとも一定以上の省スペース化は困難であった。
また、図７の従来の押しボタンスイッチの別の事例にあっては、接触機構部に弾性板を湾曲状に形成してクリックアクション特性を得る可動接片を配備しているも、操作部の作動量は一定のため、種々の作動量設定ニーズに対応させるには高さの異なる調整釦を数種類作っておき、不用意押しとならない操作感触の最適な組み合わせを求めて非常に微妙な調整を必要とするため調整釦の種類が増大しその維持管理等の経費を使うという難点があった。
本発明は、上記問題点を解決し、操作部の作動量を選択可能とし、良好な操作感触を維持するとともに、省スペース化に対応した押釦スイッチを提供することを目的とする。
【課題を解決するための手段】
【０００６】
本発明は、上記目的を達成するために、釦とプランジャで操作部を形成し、上下動自在に該操作部を配設したハウジングと、複数の端子を突出したベースで本体を構成し、該本体内に配設した接触機構部を、前記操作部で開閉する押釦スイッチにおいて、前記本体内の前記プランジャの下面と前記ベース間に弾性部材を配設し、前記ハウジングの上面の略中央部に貫通孔を設け、該貫通孔の周囲の前記ハウジング内面から下方に突起部を形成し前記釦の少なくとも一対の水平に配設した凸部を設けて前記突起部に当接させるとともに前記プランジャの上面部に対を成し複数に分割された段部を放射状に配列させ、前記釦の凸部と前記プランジャの段部との組み合わせ位置を選択可能に構成したことを特徴とする
。
また、前記ハウジングの内側面の周囲に案内を上方から下方に一乃至複数配設し、前記釦の底面部の略中央部に穴を設けて前記プランジャの上面部に配設した支柱を挿入させるとともに、前記釦の凸部と前記プランジャの複数に分割された段部の側面に設けた溝部と組み合わせた構成にしたことを特徴とする
【発明の効果】
【０００７】
（１）釦とプランジャで操作部を形成し、上下動自在に該操作部を配設したハウジングと複数の端子を突出したベースで本体を構成し、該本体内に配設した接触機構部を、前記操作部で開閉する押釦スイッチにおいて、前記本体内の前記プランジャの下面と前記ベース間に弾性部材を配設し、前記ハウジングの上面の略中央部に貫通孔を設け、該貫通孔の周囲の前記ハウジング内面から下方に突起部を形成し、前記釦の少なくとも一対の水平に配設した凸部を設けて前記突起部に当接させるとともに、前記プランジャの上面部に対を成し複数に分割された段部を放射状に配列させ、前記釦の凸部と前記プランジャの段部との組み合わせ位置を選択可能に構成したので、他の部品を必要とせず同一構成部品を用いてスイッチ内部で釦とプランジャが構成する操作部の高さを可変設定でき、種々の用途に合せて操作部の作動量の選択が可能な押釦スイッチを提供できる。
（２）釦とプランジャで操作部を形成し、上下動自在に該操作部を配設したハウジングと複数の端子を突出したベースで本体を構成し、該本体内に配設した接触機構部を、前記操作部で開閉する押釦スイッチにおいて、前記本体内の前記プランジャの下面と前記ベース間に弾性部材を配設し、前記ハウジングの上面の略中央部に貫通孔を設け、該貫通孔の周囲の前記ハウジング内面から下方に突起部を形成し、前記釦の少なくとも一対の水平に配設した凸部を設けて前記突起部に当接させるとともに、前記プランジャの上面部に対を成し複数に分割された段部を放射状に配列させ、前記釦の凸部と前記プランジャの段部との組み合わせ位置を選択可能に構成したので、操作部の作動量の異なるスイッチを夫々用意することが無いため、生産性が良く、構成部品や製品の在庫管理が極めて合理的な押釦スイッチを提供できる。
（３）釦とプランジャで操作部を形成し、上下動自在に該操作部を配設したハウジングと複数の端子を突出したベースで本体を構成し、該本体内に配設した接触機構部を、前記操作部で開閉する押釦スイッチにおいて、前記本体内の前記プランジャの下面と前記ベース間に弾性部材を配設し、前記ハウジングの上面の略中央部に貫通孔を設け、該貫通孔の周囲の前記ハウジング内面から下方に突起部を形成し、前記釦の少なくとも一対の水平に配設した凸部を設けて前記突起部に当接させるとともに、前記プランジャの上面部に対を成し複数に分割された段部を放射状に配列させ、前記釦の凸部と前記プランジャの段部との組み合わせ位置を選択可能に構成したので、プリント基板に搭載する、操作感や作動量の微妙な調整を必要とする押釦スイッチに用いる調整釦の金型を数多く作る必要がないという効果が得られる。
(４)釦とプランジャで操作部を形成し、上下動自在に該操作部を配設したハウジングと複数の端子を突出したベースで本体を構成し、該本体内に配設した接触機構部を、前記操作部で開閉する押釦スイッチにおいて、前記本体内の前記プランジャの下面と前記ベース間に弾性部材を配設し、前記ハウジングの上面の略中央部に貫通孔を設け、該貫通孔の周囲の前記ハウジング内面から下方に突起部を形成し、前記釦の少なくとも一対の水平に配設した凸部を設けて前記突起部に当接させるとともに、前記プランジャの上面部に対を成し複数に分割された段部を放射状に配列させ、前記釦の凸部と前記プランジャの段部との組み合わせ位置を選択可能に構成したので、操作部を復帰させるように付勢する弾性部材の荷重特性と前記接触機構部にドーム形に形成された可動接片の荷重特性とを組み合わせ操作力の設定幅を広げて、同一外形でありながら種々の操作特性に対応できる押釦スイッチを提供でき、機器の省スペース化に貢献することができる。
（５）ハウジングの内側面の周囲に案内を上方から下方に一乃至複数配設し、前記釦の底面部の略中央部に穴を設けて前記プランジャの上面部に配設した支柱を挿入させるとともに、前記釦の凸部と前記プランジャの複数に分割された段部の側面に設けた溝部と組み合わせた構成にしたので、操作部を成す釦とプランジャの組合せ位置設定や組付け作業性が容易となるとともに、ハウジングの案内は操作部を構成する釦の凸部に設けた溝部とプランジャの複数に分割された段部の側面に設けた溝部の上下動する際のガイドとなり、押下時の操作方向ズレが少なく、ドーム型に形成した可動接片から得られるクリックアクション特性を維持し、極めて良好な操作感を創出することができる。
【発明を実施するための最良の形態】
【０００８】
本発明の押釦スイッチによれば、釦とプランジャで操作部を形成し、上下動自在に該操作部を配設したハウジングと、複数の端子を突出したベースで本体を構成し、該本体内に配設した接触機構部を、前記操作部で開閉する押釦スイッチにおいて、前記本体内の前記プランジャの下面と前記ベース間に弾性部材を配設し、前記ハウジングの上面の略中央部に貫通孔を設け、該貫通孔の周囲の前記ハウジング内面から下方に突起部を形成し、前記釦の少なくとも一対の水平に配設した凸部を設けて前記突起部に当接させるとともに、前記プランジャの上面部に対を成し複数に分割された段部を放射状に配列させ、前記釦の凸部と前記プランジャの段部との組み合わせ位置を選択可能に構成したので、押釦スイッチを構成する同一部品を用いて、製品外形を変更することなく、操作部の作動量を目的に応じた作動量に設定することが容易となる。
【実施例１】
【０００９】
以下、本発明の実施例について、図面を参照しながら詳細に説明する。
図１は本発明の押釦スイッチの実施例を表す正面断面図、図２はその側面断面図、図３はその分解斜視図である。
加えて、図４は操作部と本体の組込位置関係を表すため部分断面した要部斜視図であり図５はハウジングと操作部の組合せを示すＡ−Ａ’断面図である。
【００１０】
これらの図において、釦２の下部側面には一対又は複数の凸部２ａを設け、プランジャ３の円盤形状の上面部３ｄに第一段部３ａ、第二段部３ｂ、第三段部３ｃと高低差を持たせ、対を成す複数の段部を円周上に配設し、略中央部には支柱３ｆを形成し、該支柱３ｆには前記釦２の底面に設けた穴２ｃと組合せ、操作部を形成する前記釦２と前記プランジャ３の組合せ高さ位置調整を容易とする。
【００１１】
また、スイッチ本体を構成するハウジング１の略中央部に貫通孔１ａを設け、該貫通孔１ａの上面に突起部１ｅを配設するとともに、該貫通孔１ａの内面に上方から下方に向けて複数の案内１ｂを設け、前記ハウジング１の突起部１ｅには前記釦２の凸部２ａを当接させ、該釦２の凸部２ａ側面と前記プランジャ３の段部側面に設けた回転止め溝部２ｂ、３ｅを前記ハウジング１の案内１ｂに係合させ、操作部の上下移動をガイドさせ、滑らかな操作部の動作を促すことができる。
【００１２】
一方、複数の端子６ｆをインサート成形したベース６の中央部には、前記端子６ｆの何れか一つと一体的に形成された固定接点６ｄが植設してあり、該固定接点６ｄの外側には共通接点６ｅが左右一対の端子６ｆとベース６内部で結合した状態で配設され、さらに、該共通接点６ｅの外周にはベース６上面から円周リブ６ｂが立ち上がり、該円周リブ６ｂ内にはバネ用燐青銅などの板状弾性部材をドーム状に形成した可動接片５を収納して軽快なクリックアクション特性を得ることができる。
【００１３】
また、前記円周リブ６ｂの内面には可動接片５の飛び出しを防止する為の内面凸部６ｇが対向して形成されている。そして、前記円周リブ６ｂの上面には凹部６ｃが設けられ、該凹部６ｃには前記操作部が押下された時、該操作部に復帰力を付勢するコイルバネ等の弾性部材４の一方を配設し、他方を前記プランジャ３の上面部外周に配置する。
そして、上下動自在に操作部を配設したハウジング１の舌下部１ｃに形成した角孔１ｄとベース６に配設した凸部６ａを嵌合係止して押釦スイッチを構成している。
【００１４】
このようにして構成された押釦スイッチは、共通部品である釦２とプランジャ３の組合せ位置を選択することで操作部の高さが変更でき、スイッチ本体内に形成されるプランジャ３と可動接片５までの空間距離が変化して、機器の要求する最適操作感、作動量に操作部を設定できる。
【産業上の利用可能性】
【００１５】
本発明の押釦スイッチは、特に、限られたスペース内で最適な操作感、作動量の設定を要求される押釦スイッチに適している。
【図面の簡単な説明】
【００１６】
【図１】本発明の押釦スイッチの実施例を表す正面断面図である。
【図２】本発明の押釦スイッチの実施例を表す側面断面図である。
【図３】本発明の押釦スイッチの実施例を表す分解斜視図である。
【図４】本発明の押釦スイッチの組込位置関係を示すため、部分断面した要部斜視図である。
【図５】本発明の押釦スイッチのハウジングと操作部の組合せを示すＡ−Ａ’断面図である。
【図６】従来の押釦スイッチの事例を表す断面図である。
【図７】従来の押釦スイッチの別の事例を表す断面図である。
【符号の説明】
【００１７】
１、３０    ハウジング
１ａ  貫通孔
１ｂ  案内
１ｃ  舌下部
１ｄ  角穴
１ｅ  突起部
２、７    釦
２ａ、６ａ  凸部
２ｂ、３ｅ  溝部
２ｃ  穴
３、２９    プランジャ
３ａ  第一段部
３ｂ  第二段部
３ｃ  第三段部
３ｄ  上面部
３ｆ  支柱
４    弾性部材
５、１３、３２  可動接片
６、３４    ベース
６ｂ  円周リブ
６ｃ  凹部
６ｄ  固定接点
６ｅ  共通接点
６ｆ、３４ａ  端子
６ｇ  内面凸部
８    ブッシング
９    丸ナット
１０    内歯座金
１１、２６    六角ナット
１２    ガイド
１４    ケース
１５    弾性部材ａ
１６    シャフト
１７    座金
１８    弾性部材ｂ
１９    Ｅリング
２０    接触端子
２１    表面シート
２２    カバー
２３    スペーサ
２４    プリント基板
２５    座金
２７    ネジ
２８    調整釦
３１    ラバー
３３    接点
３５    ＬＥＤ
３６    ホルダ
３７    キートップ
【図１】
2005100785.tif 000003
【図２】
2005100785.tif 000004
【図３】
2005100785.tif 000005
【図４】
2005100785.tif 000006
【図５】
2005100785.tif 000007
【図６】
2005100785.tif 000008
【図７】
2005100785.tif 000009